(57)【要約】【課題】本発明は印刷機の乾燥装置を運転する方法に関する。乾燥装置の乾燥運転において、放熱装置は所定の放熱装置出力で運転され、熱風装置は所定の給気体積流量率と所定の排気体積流量率と所定の空気温度とを実現させる熱風出力とによって運転される。【解決手段】本発明によって、印刷運転中に故障または中断が発生したとき、第一の持続時間において故障または中断が発生した後に放熱装置は放熱装置出力を減少させた状態で運転されるか、または停止され、熱風装置は運転パラメータが不変の状態で運転され、その後第一の持続時間において故障または中断が解消されないとき、熱風装置は第一の持続時間に続く第二の持続時間の間に、給気体積流量率と排気体積流量率とを減少させた状態で空気温度の低下を実現させる熱風出力によって運転される。【選択図】図１
2008070108.tif 000002
【特許請求の範囲】
【請求項１】
印刷機の乾燥装置を運転する方法であって、
前記乾燥装置は少なくとも一つの放熱装置を有し、それによって熱放射を印刷枚葉紙に当て、前記乾燥装置は少なくとも一つの熱風装置を有し、それによって温度調整された空気流を前記印刷枚葉紙に当て、前記印刷機の印刷運転およびそれとともに前記乾燥装置の乾燥運転において、
前記放熱装置は所定の放熱装置出力で運転され、前記熱風装置は所定の給気体積流量率と所定の排気体積流量率と所定の空気温度を実現させる熱風出力によって運転される方法において、
前記印刷運転中に故障または中断が発生したとき、
第一の持続時間において前記故障または前記中断が発生した後に前記放熱装置は放熱装置出力を減少させた状態で運転されるか、または停止され、
前記熱風装置は運転パラメータが不変の状態で運転され、
その後前記第一の持続時間において前記故障または中断が解消されないとき、前記熱風装置は前記第一の持続時間に続く第二の持続時間の間に、給気体積流量率と排気体積流量率とを減少させた状態で空気温度の低下を実現させる熱風出力によって運転されることを特徴とする乾燥装置の運転方法。
【請求項２】
前記第二の持続時間において前記熱風出力は制御され、それによって給気体積流量率と排気体積流量率とが減少した状態で、前記空気温度は前記印刷運転およびそれとともに前記乾燥運転に比べて低下した値をとることを特徴とする請求項１に記載の乾燥装置の運転方法。
【請求項３】
前記第一の持続時間内に前記故障または前記中断が解消され、前記印刷運転およびそれとともに前記乾燥運転が再開されるとき、前記放熱装置は前記印刷運転およびそれとともに前記乾燥運転に対して設定された放熱装置出力で運転されることを特徴とする請求項１または２のいずれか一項に記載の乾燥装置の運転方法。
【請求項４】
前記第二の持続時間内に前記故障または前記中断が解消され、前記印刷運転およびそれとともに前記乾燥運転が再開されるとき、前記熱風装置は前記印刷運転およびそれとともに前記乾燥運転に対して設定された前記給気体積流量率と、前記印刷運転およびそれとともに前記乾燥運転に対して設定された前記排気体積流量率と、前記印刷運転およびそれとともに前記乾燥運転に対して設定された前記空気温度を実現させる熱風出力で運転されることを特徴とする請求項１から３のいずれか一項に記載の乾燥装置の運転方法。
【請求項５】
前記放熱装置はその後さらに前記印刷運転およびそれとともに前記乾燥運転に対して設定された放熱装置出力で運転されることを特徴とする請求項１から４のいずれか一項に記載の乾燥装置の運転方法。
【請求項６】
前記第二の持続時間内に前記故障または前記中断が解消されないとき、前記熱風装置はスタンバイモードに移行させられることを特徴とする請求項１から５のいずれか一項に記載の乾燥装置の運転方法。
【請求項７】
前記スタンバイモードにおいて前記故障または前記中断が解消されるとき、前記熱風装置は前記空気温度が設定値に達するまで、最大の熱風出力で、ただし給気体積流量率と排気体積流量率とを減少させた状態で運転されることを特徴とする請求項６に記載の乾燥装置の運転方法。
【請求項８】
前記空気温度が前記設定値に達したとき、前記印刷運転およびそれとともに前記乾燥運転が再開され、前記熱風装置は前記印刷運転およびそれとともに前記乾燥運転に対して設定された前記給気体積流量率と、前記印刷運転およびそれとともに前記乾燥運転に対して設定された前記排気体積流量率と、前記印刷運転およびそれとともに前記乾燥運転に対して設定された前記空気温度を実現させる熱風出力で運転され、前記放熱装置は前記印刷運転およびそれとともに前記乾燥運転に対して設定された前記放熱装置出力で運転されることを特徴とする請求項７に記載の乾燥装置の運転方法。
【請求項９】
印刷機の乾燥装置を運転する方法であって、
前記乾燥装置は少なくとも一つの放熱装置を有し、それによって熱放射を印刷枚葉紙に当て、前記乾燥装置は少なくとも一つの熱風装置を有し、それによって温度調整された空気流を前記印刷枚葉紙に当てる方法において、
前記印刷機の始動後または比較的長く続いた故障または印刷運転の中断が解消された後、前記乾燥装置は前記印刷運転の開始前に加熱され、その加熱は放熱装置が停止された状態で、前記空気温度が設定値に達するまで前記熱風装置が最大の熱風出力で、ただし前記印刷運転に比べて給気体積流量率を減少させるとともに、前記印刷運転に比べて排気体積流量率を減少させた状態で運転されるように行われることを特徴とする乾燥装置の運転方法。
【請求項１０】
前記空気温度が前記設定値に達したとき、前記印刷運転が開始され、前記熱風装置は前記印刷運転およびそれとともに前記乾燥運転に対して設定された給気体積流量率と、前記印刷運転およびそれとともに前記乾燥運転に対して設定された排気体積流量率と、前記印刷運転およびそれとともに前記乾燥運転に対して設定された空気温度を実現させる熱風出力で運転され、前記放熱装置は前記印刷運転およびそれとともに前記乾燥運転に対して設定された放熱装置出力で運転されることを特徴とする請求項９に記載の乾燥装置の運転方法。
【発明の詳細な説明】
【技術分野】
【０００１】
本発明は、請求項１もしくは９のおいて書き部分に記載の印刷機の乾燥装置を運転するための方法に関する。
【背景技術】
【０００２】
枚葉紙印刷機において、印刷枚葉紙は前後に連続して設けられた複数の印刷装置もしくはニス引き装置を通過するように次々と移動される。このとき各印刷装置において部分画線部が印刷インキを用いて、もしくは各ニス引き装置において部分画線部がニスを用いて塗布される。複数のこのような部分画線部を重ねて印刷することによって、最終的に所望の印刷画線部が印刷枚葉紙に実現される。
【０００３】
前記のような印刷装置もしくはニス引き装置に加えて、少なくとも一つの乾燥装置を備えた枚葉紙印刷機が営業現場から知られている。このような乾燥装置によって印刷枚葉紙を乾燥させることができ、それによって例えば印刷済みの印刷枚葉紙が排出パイルを形成しながら枚葉紙印刷機から排出されて分別される際に、互いに接着することが回避される。さらにニスからなる部分画線部を塗布する工程同士の間で、乾燥装置によって印刷枚葉紙を乾燥させることが知られている。これによってニスからなる部分画線部の高品質を備えた重ね刷りが可能となる。
【０００４】
知られている枚葉紙加工機の乾燥装置は通常、放熱装置および熱風装置を備えており、放熱装置によって熱放射を印刷された印刷枚葉紙に当てることができ、熱風装置によって温度調整された空気流を印刷された印刷枚葉紙に当てることができる。本発明は印刷機の乾燥装置を運転する方法に関するものである。
【０００５】
特許文献１から乾燥装置を有する印刷機が知られており、この印刷機において乾燥装置は制御部を用いて作動される。制御部には印刷工程を特徴づける値を有する少なくとも一つの信号が供給され、その結果、制御部は信号を発生させ、これらの信号によって乾燥装置の運転が変化させられる。
【０００６】
特許文献２は乾燥装置を有する印刷機の運転方法に関する。当該方法では印刷機において、乾燥装置が最適な運転条件を達成して初めて印刷運転が開始される。乾燥装置の最適な運転条件は、特に周囲温度、インキおよびニスまたはこれらの層厚に応じて、および場合によってはさらなるパラメータに応じて決定される。
【特許文献１】欧州特許第１１４２７１１号明細書
【特許文献２】独国特許発明第４３０３２６６号明細書
【発明の開示】
【発明が解決しようとする課題】
【０００７】
上記の事情に鑑み、本発明は印刷機の乾燥装置を運転するための新規な方法を実現することを課題とする。
【課題を解決するための手段】
【０００８】
前記の課題は本発明の第一の態様により、請求項１に記載の方法によって解決される。この方法によれば、印刷運転中に故障または中断が発生したとき、このような故障または中断が発生した後の第一の持続時間中に、放熱装置は放熱装置出力を減少させた状態で運転されるか、または停止されて、熱風装置は運転パレメータを変えずに運転される。そして、第一の持続時間中に前記の故障または中断が解消されないとき、熱風装置は第一の持続時間に続く第二の持続時間中に、給気体積流量率と排気体積流量率とを減少させた状態で空気温度の低下を生じさせるような熱風出力によって運転される。
【０００９】
前記の課題は本発明の第二の態様により、請求項９に記載の方法によって解決される。この方法によれば、印刷機の始動後あるいは比較的長く持続した故障または印刷運転の中断が解消された後、乾燥装置は印刷運転の開始前に加熱される。すなわち、放熱装置が停止されているとき、熱風装置は空気温度が所定の値に到達するまで最大の熱風出力で、ただし印刷運転に比べて少ない給気体積流量率と印刷運転に比べて少ない排気体積流量率とで運転される。
【００１０】
本発明の好適なさらなる形成は従属請求項と以下の詳細な説明に記載されている。本発明の実施の形態を図面に基づいて以下に詳細に説明するが、本発明はこれらの実施の形態に限定されるものではない。図面に示すのは以下の通りである。
【００１１】
本発明は複数の印刷装置および／またはニス引き装置を有する印刷機、特に枚葉紙印刷機の乾燥装置を運転するための方法に関する。
【００１２】
本発明に係る方法によって運転すべき乾燥装置は少なくとも一つの放熱装置と、少なくとも一つの熱風装置とを備えており、放熱装置によって印刷枚葉紙に熱放射を当てることができ、熱風装置によって印刷枚葉紙に温度調整された空気流を当てることができる。このとき放熱装置と熱風装置とは印刷枚葉紙の搬送方向において見た場合、相前後して設けられている。
【００１３】
印刷機の通常運転において、すなわち乾燥装置の通常の乾燥運転において、乾燥装置の放熱装置は所定の放熱装置出力で運転される。
【００１４】
印刷機の通常の印刷運転において、およびそれとともに乾燥装置の通常の乾燥運転において、熱風装置は所定の給気体積流量率と、所定の排気体積流量率と、所定の空気温度を実現させる熱風出力によって運転される。
【００１５】
本発明は乾燥装置の運転の詳細に関するものであり、これによって印刷運転中もしくは印刷運転の開始時において、印刷枚葉紙の最適な乾燥が実現され、印刷損紙の印刷が防止されるように乾燥装置の運転が行われる。
【発明を実施するための最良の形態】
【００１６】
図１に示す信号のフローチャートでは、印刷機の通常の印刷運転およびそれとともに乾燥装置の通常の乾燥運転が工程１０によって表されている。図に示す通常の印刷運転および通常の乾燥運転において、放熱装置は所定の放熱装置出力で運転され、熱風装置は所定の給気体積流量率と、所定の排気体積流量率と、所定の空気温度を実現させる熱風出力とによって運転される。
【００１７】
工程１１によって、通常の印刷運転の間に故障または印刷運転の中断が発生するかどうか、連続的に検査される。このとき故障または印刷運転の中断が生じていないことが確認されると、工程１０に対して反復制御が行われる。これに対して工程１０において故障または印刷運転の中断の発生が確認されると、工程１２に対して分岐制御が行われる。
【００１８】
工程１２において故障もしくは印刷運転の中断が発生した直後に、放熱装置は放熱装置出力が減少した状態で運転され、特に故障もしくは印刷運転の中断が発生した直後に、放熱装置は停止される。熱風装置の運転パラメータはさし当たって不変のままである。
【００１９】
工程１２に続いて工程１３においては、故障または印刷運転の中断が解消されたかどうか検査される。このとき故障または印刷運転の中断が解消されたことが確認されると、工程１３から工程１０に対して反復制御が行われ、印刷運転およびそれとともに乾燥運転が再開される。運転の再開に当たって、放熱装置は通常の印刷運転に対して、およびそれとともに通常の乾燥運転に対して設定された放熱装置出力で運転される。
【００２０】
これに対して工程１３において故障もしくは印刷運転の中断が解消されていないことが確認されると、工程１４において故障もしくは印刷運転の中断が発生した後の持続時間が、あらかじめ設定された第一の持続時間よりも少ないかどうか検査される。故障もしくは印刷運転の中断が発生した後の持続時間が、あらかじめ設定された第一の持続時間よりも少ない場合、工程１４から工程１３に対して反復制御が行われる。これに対して工程１４において故障もしくは印刷運転の中断が発生した後の持続時間が、あらかじめ設定された第一の持続時間を上回っていることが確認された場合、工程１４から工程１５に対して分岐制御が行われる。
【００２１】
工程１５において第一の持続時間が経過した直後に、乾燥装置の熱風装置は給気体積流量率と排気体積流量率とを減少させた状態で、空気温度の低下を生じさせる熱風出力によって運転される。このとき放熱装置は停止された状態を続けている。工程１５において実現すべき低下された空気温度は、特に通常の印刷運転に対して設定された空気温度の８０％であるが、８０％というこの値は純粋に典型的なものであって、方法および構成に応じて他のいかなる値をとることも可能である。
【００２２】
このように第一の持続時間内に故障もしくは印刷運転の中断が解消されず、印刷運転が再開されないとき、熱風装置の熱風出力は低下させられ、それによって熱風が当たる印刷機または乾燥装置の構成部材群は損傷されない。
【００２３】
工程１５に続いて工程１６においては、第一の持続時間が経過した後に、故障または印刷運転の中断が解消されたかどうか検査される。第一の持続時間が経過した後に、故障または印刷運転の中断が解消されている場合は、工程１６から工程１０に対して反復制御が行われる。すなわち印刷機の印刷運転および乾燥装置の乾燥運転が再開され、このとき運転の再開に当たって乾燥装置の熱風装置は通常の印刷運転もしくは通常の乾燥運転に対して設定された給気体積流量率と、印刷運転およびそれとともに乾燥運転に対して設定された排気体積流量率と、印刷運転およびそれとともに乾燥運転に対して設定された空気温度を生じさせる熱風出力で運転される。
【００２４】
これに対して工程１６において故障または印刷運転の中断が解消されていないことが確認されると、工程１７に対して分岐制御が行われる。このとき工程１７においては、第一の持続時間に続く第二の持続時間が超過されたかどうか検査される。工程１７において第二の持続時間がまだ超過されていないことが確認されると、工程１６に対して反復制御が行われる。これに対して工程１７において第二の持続時間が超過されてしまったこと、すなわち第一の持続時間内でも第二の持続時間内でも故障もしくは印刷運転の中断が解消されなかったことが確認されると、工程１８に対して分岐制御が行われる。
【００２５】
続いて工程１８において乾燥装置はスタンバイモードに移行される。このスタンバイモードにおいて放熱装置は停止されており、熱風装置は最小化された熱風出力で運転される。
【００２６】
工程１８において乾燥装置がスタンバイモードに移行された後、工程１９において、スタンバイモードにおいて故障または印刷運転の中断が解消されているかどうか検査される。このとき故障が解消されていないことが確認されると、工程１９に対して分岐制御が行われる。これに対して工程１９において、スタンバイモードにおいて故障または印刷運転の中断が解消されていることが確認されると、工程１９から工程２０に対して分岐制御が行われ、乾燥装置の予備加熱が行われる。
【００２７】
工程２０において乾燥装置の予備加熱の際に、放熱装置が停止された状態で、熱風装置は空気温度が設定された値に達するまで最大の熱風出力で、ただし印刷機の通常の印刷運転およびそれとともに乾燥装置の通常の乾燥運転に比べて少ない給気体積流量率と、排気体積流量率とで運転される。工程２０において空気温度がこのような設定値に達してはじめて工程１０に対して反復制御が行われ、通常の印刷運転およびそれとともに通常の乾燥運転が再開される。
【００２８】
工程２０における予備加熱の際に到達すべきこのような空気温度の設定値は特に、通常の印刷運転に対して設定された空気温度の８０％であるが、８０％というこの値は純粋に典型的なものであって、方法および構成に応じて他のいかなる値をとることも可能である。
【００２９】
通常の印刷運転およびそれとともに通常の乾燥運転の開始とともに、熱風装置は通常の印刷運転に対して設定された給気体積流量率と、通常の印刷運転に対して設定された排気体積流量率と、通常の印刷運転に対して設定された空気温度を実現させる熱風出力とで運転される。
【００３０】
その後、乾燥装置の放熱装置は同様に通常の印刷運転に対して設定されたほう熱装置出力で運転される。
【００３１】
このように図１に示す方法は故障もしくは印刷運転の中断が発生したとき、三つの段階に区別される。中断もしくは故障が発生した直後の第一段階は、第一の持続時間によって定義され、この第一の持続時間内では放熱装置の運転パラメータのみが調整され、熱風装置の運転パラメータは不変のままである。この第一段階において印刷運転が再開されないとき、第二の持続時間によって定義される第二段階において熱風装置の運転パラメータが調整され、それによって給気体積流量率と排気体積流量率とを減少させた状態で、空気温度の低下が実現され、低下させられた温度は特に、通常の印刷運転の空気温度の８０％に相当する。
【００３２】
この第二の持続時間内およびそれとともに第二段階において印刷運転が再開されないとき、第三段階がこれに続き、第三段階において熱風装置はスタンバイモードで運転される。スタンバイモードにおいて印刷機は冷却されるが、その冷却はスタンバイモードにおいて印刷運転の故障もしくは印刷運転の中断が解消されたとき、印刷運転の開始前にまず印刷機もしくは乾燥装置の予備加熱が必要となるように行われる。予備加熱において熱風装置は給気体積流量率と排気体積流量率とを減少させた状態で運転され、それによって空気温度は設定値に到達し、この設定値は特に通常の印刷運転もしくは乾燥運転における熱風の空気温度の８０％に相当する。８０％というこの値は純粋に典型的なものであって、方法および構成に応じて他のいかなる値をとることも可能である。
【００３３】
本発明に係る方法の上記の予備加熱作用はスタンバイモードから印刷運転を再開するときだけ実施されるものではない。このような予備加熱は印刷機が新たに始動されるときにも行われる。
【００３４】
本発明に係る方法によって、印刷機の始動時および比較的長い故障もしくは印刷運転の中断が解消された後に印刷損紙が印刷されることが効果的に回避される。印刷損紙の印刷の回避は、本来の印刷運転の開始前に印刷機もしくは乾燥装置の予備過熱が行われることによって実現される。さらに印刷運転の中断もしくは故障が発生したとき、乾燥装置の運転パラメータは継続的に調整され、短い故障が生じたときにはすぐに印刷運転を再開できる一方、長い故障が生じたときには印刷機もしくは乾燥装置の過熱が回避される。本発明に係る方法によって、エネルギーを節約することができる。
【図面の簡単な説明】
【００３５】
【図１】本発明に係る印刷機の乾燥装置を運転する方法を説明するための信号のフローチャートである。
【符号の説明】
【００３６】
１０  工程
１１  工程
１２  工程
１３  工程
１４  工程
１５  工程
１６  工程
１７  工程
１８  工程
１９  工程
２０  工程
【図１】
2008070108.tif 000003